(57)【特許請求の範囲】
【請求項１】
左右に適宜隔てて配置した複数本の縦フレームと、該隣接する縦フレームの間を上下に適宜隔てて配置した複数本の横フレームとからなる枠状家具において、
前記縦フレームの下端側の一側部に、アジャスタ体における支柱部を沿わせ、前記支柱部の下面に固定されたブラケットを前記縦フレームの下端面に当接し、前記縦フレームの内部におけるネジ取付け溝に前記ブラケットをネジにより締着し、前記ブラケットにアジャスタボルトを螺合する一方、
床面に当接する安定板から上向きに立設する一対の連結棒を、前記ブラケットに穿設された連結孔を介して前記縦フレームの内径部に挿入させるように構成したことを特徴とする枠状家具。
【請求項２】
前記左右に隣合った２本の縦フレームと上下に隣合った２本の横フレームとで囲われた枠空間の少なくとも一部を、前記縦フレームと横フレームを含む平面と平行状にて遮るための遮断手段を備えたことを特徴とする請求項１に記載の枠状家具。
【発明の詳細な説明】
【０００１】
【発明の属する技術分野】
本発明は、パーティション等にも適用でき、オフィスでの人の流れを遮るための枠状家具に関するものである。
【０００２】
【従来の技術】
従来の間仕切には天井まで届くタイプと天井まで届かない衝立式とに大別される。後者の衝立式の間仕切は、主として、骨組み（枠体）とこれに装着されるパネルとから成っており、骨組みは、左右に立設した縦フレーム（支柱）と、左右の縦フレームを繋ぐ横フレームとから成っており、通常、縦フレームと横フレームとで囲われた空間に１枚のパネルを装着したものや、表裏２枚のパネルを装着して両者の間を中空状に形成したものとがあった。
【０００３】
また、パネルの材質は様々で、金属板に塗装を施しただけのもの、金属板に化粧布を貼ったもの、金属板の裏面に軽量断熱材を貼ったものなどがあった。
【０００４】
【発明が解決しようとする課題】
ところで、オフィス空間においては、机を並べただけのオープンフロアー方式や各ワーカーごとにブースで仕切っただけの伝統的なワークスタイルから、最近では、間仕切や机などの家具の機能やレイアウトを作業内容等に応じて異ならせるフレキシブルなワークスタイルに大きく変化している。
【０００５】
その場合、ワーカーの作業領域と人の通路とを区画しつつ、ワーカーへの過干渉や過放任をなくして、各ワーカーが快適かつ能率的に執務できる環境を形成することの必要性の認識が高まっている一方、オフィス空間内での人の視線を阻止したい環境と、逆に人の視線が遠くまで届き、開放的な環境とを任意に設定したいとの要望が出てきた。
【０００６】
本願発明は、この要望に応えることのできる枠状家具を提供することを目的とするものである。
【０００７】
【課題を解決するための手段】
上記目的を達成するため、請求項１の発明に係る枠状家具は、左右に適宜隔てて配置した複数本の縦フレームと、該隣接する縦フレームの間を上下に適宜隔てて配置した複数本の横フレームとからなる枠状家具において、前記縦フレームの下端側の一側部に、アジャスタ体における支柱部を沿わせ、前記支柱部の下面に固定されたブラケットを前記縦フレームの下端面に当接し、前記縦フレームの内部におけるネジ取付け溝に前記ブラケットをネジにより締着し、前記ブラケットにアジャスタボルトを螺合する一方、床面に当接する安定板から上向きに立設する一対の連結棒を、前記ブラケットに穿設された連結孔を介して前記縦フレームの内径部に挿入させるように構成したことを特徴とするものである。
【０００９】
請求項２の発明は、請求項１に記載の枠状家具において、前記左右に隣合った２本の縦フレームと上下に隣合った２本の横フレームとで囲われた枠空間の少なくとも一部を、前記縦フレームと横フレームを含む平面と平行状にて遮るための遮断手段を備えたものである。
【００１０】
【発明の実施形態】
次に、本発明を具体化した実施形態を図面に基づいて説明する。図１（ａ）は本発明に係る枠状家具の正面図、図１（ｂ）は側面図、図２は枠状家具の連結状態の一例を示す斜視図、図３（ａ）は縦フレームと横フレームとの連結部を示す断面図、図３（ｂ）は連結ブロックの斜視図、図４は隣接する２つの縦フレーム同士の上部連結構造を示す分解斜視図、図５は縦フレームと横フレームとの連結部平面図、図６（ａ）は縦フレームの下部のアジャスタ体と下部横フレームとの連結状態を示す断面図、図６（ｂ）は下部連結ブロックの斜視図、図７はコーナー支柱と縦フレームとの下部連結状態を示す断面図である。
【００１１】
図１に示すように、本発明に係る枠状家具１としての最小単位（１ユニット）は、左右に配置した縦フレーム４と、左右の縦フレーム４間を接続する複数の横フレーム５とで骨組みが構成されており、上下左右のフレーム４、５で囲われた枠空間６は基本的にはそのままとする。
【００１２】
この枠状家具１は、後述するように、安定板８１（図９参照）を介して床面に対して自立させることができる。また、図２に示すようにコーナー支柱７２を介して複数の枠状家具１を平面視でＬ字状に接続したり、コ字状に接続することにより、自立させても良い。これらの場合、背の高さが高低異なるもの同士や背の高いもの同士の接続も可能である。さらに、図２に示すように、脚体２ａで支持された机天板２ａの後側に図示しない連結部材を介して連結させて自立させても良い。他方、寸法の長い縦フレーム４を、室（オフィス）の床面に固定した地レールと、天井面に設けた天レールとに突っ張るように立設させても良い。
【００１３】
本発明に係る枠状家具１は、室（オフィス）内において机天板２ａ上で作業する作業区域と、その側方や後方で人が通る個所との間に立設させて人の動線（人の動きや人の流れ）を規制することや、キャビネットなどの家具の裏面、側面等に近接させた立設し、または、複数のキャビネットの列と平行状に並べて立設し、前記人の動線を遮るために使用するものである。
【００１４】
次に、図３〜図６に基づいて、縦フレーム４の断面構造及び各枠状家具１を左右に連結したい場合に隣接する２つの縦フレーム４、４同士の連結構造や縦フレーム４と横フレーム５との連結構造について説明する。各縦フレーム４及び横フレーム５は金属の押し出し加工品であり、従って、基本的に全長にわたって同一断面形状であり、部分的に加工を施している。各縦フレーム４は、前後両面７ａと内面（枠空間６に面した面）７ｂとが円弧状曲面７ｃを介して連続しており、全体として断面略台形状で中空状に形成されている。そして、その外面７ｄには、アウター係合溝９が形成されている。アウター係合溝９は、その開口部に２条のリップ９ａ，９ａを備えて蟻溝に形成されている。
【００１５】
縦フレーム４の内面７ｂには、当該内面７ｂの幅方向の前後両端には、縦フレーム４の長さ方向に沿って、幅が小さく且つ高さが低い一対の突条１１、１１が形成されており、この一対の突条１１、１１を挟んで内面７ｂに各横フレーム５の端部がきっちり嵌まるようになっている。また、内面７ｂの幅方向の中央部に、断面略矩形状のインナー係合溝１２が形成されている。
【００１６】
図５に示すように、横フレーム５の前後幅寸法Ｌ２が縦フレーム４の前後幅寸法Ｌ１よりも小さいため、机天板２ａを縦フレーム４の前面７ａにぴったり重ねた状態でも、横フレーム５と机天板２ａの背面との間にはコード類やケーブル類を挿通できる配線可能空間（隙間）Ｌ３が空くことになる。
【００１７】
縦フレーム４の前後両面７ａには縦長の蟻溝１８が形成されており、この蟻溝１８の底面には、棚板７３を支持したり、枠状家具の一側をキャビネットに連結するため等のブラケット７４を係止するための係止孔１９が縦フレーム４の長さ方向に一定間隔（適宜間隔）Ｈ１にて穿設されている（図４参照）。
【００１８】
各縦フレーム４は同一断面形状であり、かつ、２本の縦フレーム４の前後逆向きにして重ねると互いに嵌合して前後ずれ不能に保持されるように、外面７ｄには断面凹凸状の縦溝２０ａと凸条２０ｂとが形成されている。
【００１９】
縦フレーム４の上面には合成樹脂製のキャップ２１が着脱可能に装着される（図3 （ａ）参照）。
【００２０】
次に、枠状家具１、１同士の連結構造について、図３、図４に基づいて説明すると、背中合わせに隣接させた２本の縦フレーム４、４の下端の相互間は下部連結体２３で連結され、上部の相互間は上部連結体２４で連結されている。まず、下部の連結構造について説明する。
【００２１】
下部連結体２３は、一方の縦フレーム４のアウター係合溝９に下方からきっちり嵌入する第１挿入部２３ａと、他方の縦フレーム４のアウター係合溝９に下方からきっちり嵌入する第２挿入部２３ｂとを備えている。なお、下部連結体２３は一対の縦フレーム４、４同士またはコーナー支柱７２（図６（ａ）及び図７参照）と縦フレーム４との連結にも使用することができる。
【００２２】
上部連結体２４は、一方の縦フレーム４のアウター係合溝９に上方から嵌まる第１クランプ体２５と、他方の縦フレーム４のアウター係合溝９に上方から嵌まる第２クランプ体２６と、これらを締結するボルト（六角穴付きボルト）２９とから成っている。
【００２３】
両クランプ体２５，２６には、アウター係合溝９から横向きに抜けないようにひれ部２５ａ，２６ａが形成されている。また、第２クランプ体２６に設けた一対の凸部２６ｂ、２６ｂが一方の縦フレーム４のアウター係合溝９にきっちり嵌まるようになっており、かつ、第２クランプ体２６の凸部２６ｂ、２６ｂの間に形成された凹所２６ｃに、第１クランプ体２５に設けた突起２５ｂがきっちり嵌合している。
【００２４】
更に、第２クランプ体２６にはボルト挿入穴２７が空いており、他方、第１クランプ体２５の突起２５ｂにはねじ穴２８が空いている。
【００２５】
このとき、第１クランプ体２５の突起２５ｂの上面を正面視で斜め下向きの傾斜面２５ｃとなし、この傾斜面２５ｃにねじ穴２８を開口させる一方、第２クランプ体２６における凹所２６ｃ内に、正面で前記第１クランプ体２５の傾斜面に重なる平板状の傾斜板部２６ｄを設け、この傾斜板部２６ｄにボルト挿入穴２７を設ける。
【００２６】
他方の縦フレーム４におけるアウター係合溝９の底部は、前記第２クランプ体２６が嵌まってボルト（ネジ）２９の頭に干渉しないように若干の寸法だけ上向きに切り開き形成された切り開き部３０が設けられている。
【００２７】
両クランプ体２５，２６は、離反しないようにボルト２９で仮止めしておく。そして、ユニット同士を連結するには、隣合った縦フレーム４を背中合わせて先に下部を下部連結体２３及び底板で連結して後、両縦フレーム４のアウター係合溝９にそれぞぞれクランプ体２５，２６を挿入し、次いで、正面視で傾斜状の姿勢にした六角レンチをボルト（またはネジ）２９の頭に嵌め入れて、ボルト（またはネジ）２９をねじ込む。これにより、両縦フレーム４、４はその上部において強固に締結される。
【００２８】
次に、図３（ａ）、図６（ａ）、図７及び図１２（ａ）を参照して、横フレーム５の構造を説明する。横フレーム５の上下両面には、幅方向の中心に、断面コ字状のセンター係合溝３１が設けられており、また、横フレーム５の四隅には円弧状に面取りされた面取り部３２を有する。更に、横フレーム５の前後両面には、上下中心線を挟んだ対称形状の蟻溝状のフロント係合溝３３が形成されている。
【００２９】
横フレーム５の内部には、その中心線に沿って延びる断面円弧状のねじ込み用溝３４が形成されている。上端の横フレーム５については、このねじ込み用溝３４にねじ込んだねじ１４により、縦フレーム４と横フレーム５とが締結されている（図３（ａ）参照）。縦フレーム４の上下中途高さ位置に連結する横フレーム５については、連結ブロック１３（図３（ｂ）参照）を介してねじ１４で締結されている（図３（ａ）参照）。なお、縦フレーム４のアウター係合溝９の底面には、ねじ１４とドライバーとを挿入するための穴１５が空いている。
【００３０】
連結ブロック１３は、図３（ｂ）に示すように、縦フレーム４におけるインナー係合溝１２に上下方向摺動自在に嵌合する矩形状の本体部１３ａと該本体部１３ａから横向きに突出した上下一対の横係合突起１３ｂ，１３ｂとが合成樹脂材にて一体的に形成されており、本体部１３ａには前記ねじ１４のための取付け孔１３ｃが横向きに穿設されて構成されている。予め横フレーム５の両端から内部空間に前記横係合突起１３ｂ，１３ｂを押し込んでおき、インナー係合溝１２に本体部１３ａを嵌め込み、ねじ１４止めすれば良い（図５参照）。
【００３１】
縦フレーム４の下端部と横フレーム５との連結構造は、図６（ａ）、図６（ｂ）、図７に示し、下部連結ブロック７５は、縦フレーム４におけるインナー係合溝１２に上下方向摺動自在に嵌合する矩形状の本体部７５ａと、該本体部７５ａから横向きに突出した上下一対の横係合突起７５ｂ，７５ｂと、本体部７５ａから下向きに延びる係合爪部７６とが合成樹脂材にて一体的に形成されている。本体部７５ａには前記ねじ１４のための取付け孔７５ｃが横向きに穿設されている。従って、この下部連結ブロック７５も前記上下中途部の連結ブロック１３と同様に予め横フレーム５の両端から内部空間に前記横係合突起７５ｂ，７５ｂを押し込んでおき、インナー係合溝１２に本体部７５ａを嵌め込み、ねじ１４止めすれば良い。なお、このとき、係合爪部７６を下方に延びるように配置しておく。他方、図８に示すアジャスタ体７７は、縦フレーム４の横断面形状に略等しい形状のブラケット７７ａと、略半円筒断面状の支柱部７７ｂと、ブラケット７７ａに螺合させたアジャスタボルト７８とから構成されている。そして、前記支柱部７７ｂを、縦フレーム４の下端側の前記インナー係合溝１２を適宜高さだけ除去した個所に上向きに延びるようにして配置し、ブラケット７７ａの下面側からのネジ７９を縦フレーム４のインナー係合溝１２の左右両側のネジ取付け溝７ｅ、７ｅ（図７参照）に締着する。前記支柱部７７ｂの背面に凹み形成された係止溝８０に対して前記下部連結ブロック７５の係合爪部７６を係止するものである。なお、ユニット１〜３を床面に対して安定して立設するための安定板８１（図９参照）から上向きに立設する一対の連結棒８２、８２は、前記ブラケット７７ａに穿設された連結孔８３に挿通し、連結棒８２、８２は縦フレーム４の内径部（縦フレーム４における前面７ａの蟻溝１８と、アウター係合溝９の側端と、円弧曲面７ｃと、外面７ｄとの各内面にて囲まれた空間内）に挿入することにより、きっちりと嵌まるようになっている（図５及び図７の二点鎖線参照）。
【００３２】
前記左右位置の縦フレーム４、４と、上下位置の横フレーム５、５とで囲まれた任意の個所の枠空間６の少なくとも一部を、縦フレーム４と横フレーム５とを含む平面と平行状にて遮るための遮断手段について説明する。遮断手段の一例としてのパネル装置１０は、前記上下の横フレーム５、５に対して着脱自在に装着することができるものである。
【００３３】
次に、図１０〜図１２を参照して、パネル装置１０の態様を説明する。パネル装置１０は、任意の枠空間６に張設できるクロス張り金属板製のパネル板３６とその左右両側に被嵌する左右一対の縦枠体３７、３７とからなる。パネル板３６として化粧鋼板製、パンチングメタル、白色ボード（水性インクフェルトペンで書けるもの）製等の薄板のものを使用することができる。
【００３４】
パネル板３６は、その外面が横フレーム５と略同一面をなすように配置されるものである。パネル板３６は、板厚が略０．３ｍｍ程度であってその上下両端縁を裏面側に屈曲（折り返し）させたリブ部３８、３８が備えられており、パネル板３６の左右両側端には、合成樹脂製の縦枠体３７、３７を被嵌させる。その場合、各縦枠体３７は、縦フレーム４の内面７ｂに沿って延びる端板３７ａと、該端板３７ａからパネル板３６の平板部３６ａの裏面に沿って延びて当該平板部３６ａの裏面を支持する支持板部３７ｂと、該支持板部３７ｂと平行な裏板部３７ｃとからなり、支持板部３７ｂと裏板部３７ｃとは、適宜間隔にて、補強リブ３９に連結されている（図１０、図１１（ａ）及び図１２（ｂ）参照）。従って、縦枠体３７の少なくとも上下中途部では端板３７ａと支持板部３７ｂと裏板部３７ｃとにより筒状になっている。前記端板３７ａの前端には、支持板部３７ｂとの間に、パネル板３６の平板部３６ａの厚さに相当する凹溝４０を備えた縁条部３７ｄがパネル板３６の上下寸法に相当する長さにわたって一体的に形成されている（図１１（ａ）参照）。
【００３５】
また、各縦枠体３７における支持板部３７ａの表面には、前記縁条部３７ｄに接近する方向に直線状の突条部４１が支持板部３７ａの長手方向（パネル板３６の縦辺に沿う方向）に適宜間隔で形成されており、支持板部３７ａの長手方向両端部位は、段付き状に凹んだ平坦部４５に形成されている。前記支持板部３７ｂの上端から裏板部３７ｃの方向（縦枠体３７の厚さ方向）に突出する弾性的なバネ板４３の先端に係合爪４４を設ける一方、支持板部３７ｂの下端から下向きに突出する板状の突起部４２を設ける（図１０及び図１２（ｂ）参照）。この係合爪４４と突起部４２は、横フレーム５のセンター係合溝３１に対して弾性的に着脱自在に係止できる係合手段となる。その場合、前記係合手段は、縦枠体３７の厚さ方向に突出させないように前記嵌合部と一体的に形成したものである。
【００３６】
図１１（ａ）に示すように、パネル板３６の平板部３６ａの直線状の左右両側端縁部を縦枠体３７にて被嵌するように差し込むと、平板部３６ａの裏面は支持板部３７ｂの表面側の差し込み方向に長い突条部４１にて支持される一方、平板部３６ａの直線状の側端縁は、前記凹溝４０に嵌まる。従って、平板部３６ａの直線状の側端縁の前面が縁条部３７ｄにて隠された状態にて、前記側端縁が直線状に保持されながら凹溝４０に支持できる。
【００３７】
また、パネル板３６の上下リブ部３８、３８の一部（一端部）内面が裏板部３７ｃにおける平坦部４５と支持板部３７ｂの表面との間に被嵌する。そして、前記平坦部４５に突設した略矩形状の係合突起４６が、前記上下リブ部３８、３８の一端部に穿設した係止孔４７に係止できる嵌合部となり、左右両側の縦枠体３７、３７はパネル板３６と離れないように連結される図１０及び図１１（ａ）〜（ｃ）参照）。
【００３８】
このように構成すると、パネル装置１０の左右両側の縦枠体３７、３７の下端の突起４２を枠空間６のうち下側の横フレーム５における上向き開放状のセンター係合溝３１に嵌め入れた後、前記上端側の係合爪４４を横フレーム５のセンター係合溝３１に押し込むと、前記バネ板４３の付勢力に抗して、係合爪４４がセンター係合溝３１に弾性的に係止できるのである。従って、パネル装置１０の着脱作業に際して横フレーム５、５を外す等、枠状家具１を分解する必要がなく、組み立て作業が至極容易にできる。
【００３９】
さらに、前記左右一対の縦枠体３７、３７における裏板部３７ｃには、その長手方向（パネル板３６の平板部３６ａの直線状の左右両側端縁部に沿う方向）に適宜隔てて位置ずれ防止用の凸部４９と凹部５０との組が設けられている。この凸部４０及び凹部５０は同じ平面形状であって後述するように凸部４９と凹部５０とを重ねると互いに嵌まり合い、且つ横ずれしないように形成されている。
【００４０】
図１３及び図１４（ａ）〜図１４（ｄ）、図１５に示すのはパネル装置１０の第２実施形態であって、透明または半透明などのガラス板や合成樹脂板等からなるパネル板５１と、該パネル板５１の上下辺に被嵌する横枠５２、５３と、パネル板５１の左右両側辺に被嵌する一対の縦枠５４ａ，５４ｂとからなる。左右縦枠５４ａ，５４ｂは左右対称形状である。前記縦枠及び横枠は合成樹脂材にて形成されており、夫々に形成された凹溝５５、５６に対してパネル板５１の上下左右縁を嵌合した後、横枠５２、５３における筒状部５７の左右両側端に対して縦枠５４ａ，５４ｂからビス５８にて締結して連結する。上横枠５２に裏面側に横向きに突出する弾性係合爪５９は横枠５２の全長にわたって延びており、下横枠５３の下端にも下向き突条６０が横枠５３の全長にわたって延びている。
【００４１】
そして、図１５に示すように、枠状家具１における枠空間６に対して前記パネル装置１０を表面側もしくは裏面側から嵌め込むと、前記下向き突条６０が下位置の横フレーム５におけるセンター係合溝３０に係止する一方、弾性係合爪５９が上位置の横フレーム５におけるセンター係合溝３０に弾性的に係止するのである。従って、パネル装置１０の着脱作業に際して横フレーム５、５を外す等、枠状家具１を分解する必要がなく、組み立て作業が至極容易にできる。
【００４２】
また、前記弾性係合爪５９が横枠５２の厚み方向の外側に突出していないから、多数組の積み重ね時に互いに干渉して破損したり永久変形するなどの不都合がない。
【００４３】
図１６は、前記枠空間６の内部を平面的に覆う遮断手段の第３実施形態であって、樹脂フィルム製や織布製等からなる可撓性を有するスクリーン体６１の上下端縁を横長の筒状連結片６２、６２に固着する。そして、この各筒状連結片６２に回動可能に被嵌させた上下の吊支体６３、６３の各鉤部６３ａ，６３ａを上下横フレーム５におけるフロント係合溝３３、３３に係止するのである。吊支体６３は筒状連結片６２と同じ長さであっても良いし、それより短いものを、筒状連結片６２に沿って複数個所に被嵌させて良い。
【００４４】
図１７（ａ）及び図１８に示す遮断手段の第４実施形態では、上下の横フレーム５、５と一対の縦フレーム４、４とで囲まれた枠空間６内に配置する装飾体６４の一例であり、この装飾枠体６４は、縦フレーム４と横フレーム５とのコーナー部には、図１８に示すように連結金具６５をビス６６にて縦フレーム４等に固定し、金属棒等の直線体６７の一端を連結金具６５に対して回動可能に連結する。各直線体６７の中途部には緊張緩和調節可能なターンバックル６８が介挿されている。各直線体６７の他端は環状体６９に回動可能に連結する。しかして、この装飾体６４は前記枠空間６の平面の一部のみを遮断したことになり、人の動線を効果的に遮断できるものでありながら、人の視線はほとんど遮断しないという特性を有することになる。なお、このような装飾体６４と前記スクリーン体６１とを前記枠空間に平行状に配置（装着）しても良い。
【００４５】
本発明に係る枠状家具１における横フレーム５の縦フレーム４に対する取付け高さ位置は、図１７（ｂ）に示すように、任意に変更可能であることはいうまでもない。
【００４６】
図１９及び図２０は、枠状家具１における左右一対の縦フレーム４、４に対する上部の横フレーム５より上方の空間をアッパーパネル７０にて遮断するものであって、縦フレーム４、４と横フレーム５とを含む平面と平行状に遮断するために、ガラス板または樹脂板等の透明または半透明のアッパーパネル７０を、ゴム製の目地材７１を介して縦フレーム４、４のインナー係合溝１２及び横フレーム５の上側のセンター係合溝３１に嵌め込み係合するものである。
【００４７】
以上、本発明の実施形態を説明したが、本発明は更に様々に具体化できる。例えば縦フレームや横フレームの断面形状は図示のものに限定はされず、様々の形状に変更できる。
【００４８】
【発明の効果】
以上に詳述したように、請求項１の発明に係る枠状家具は、左右に適宜隔てて配置した複数本の縦フレームと、該隣接する縦フレームの間を上下に適宜隔てて配置した複数本の横フレームとからなる枠状家具において、前記縦フレームの下端側の一側部に、アジャスタ体における支柱部を沿わせ、前記支柱部の下面に固定されたブラケットを前記縦フレームの下端面に当接し、前記縦フレームの内部におけるネジ取付け溝に前記ブラケットをネジにより締着し、前記ブラケットにアジャスタボルトを螺合する一方、床面に当接する安定板から上向きに立設する一対の連結棒を、前記ブラケットに穿設された連結孔を介して前記縦フレームの内径部に挿入させるように構成したことを特徴とするものである。
【００５０】
このように、請求項１の発明では、枠状家具を縦フレームと横フレームのみで構成したことにより、極めて簡単な構成要素のみで、オフィスの室内での、作業領域と人の通路とを区画するというように人の流れ（人の動線）を規制しつつ、ワーカーへの過干渉や過放任をなくして、各ワーカーが快適かつ能率的に執務できる環境を形成することができる。そして、枠空間が大きく開口しているから、オフィス空間内での人の視線を阻止せず人の視線が遠くまで届き、開放的な環境が設定できるという効果を奏する。
【００５２】
請求項２の発明は、請求項１に記載の枠状家具において、前記左右に隣合った２本の縦フレームと上下に隣合った２本の横フレームとで囲われた枠空間の少なくとも一部を、前記縦フレームと横フレームを含む平面と平行状にて遮るための遮断手段を備えたものであるから、遮断手段で枠空間の一部または全部を塞ぐことにより、オフィスの室内での、作業領域と人の通路とを区画して人の流れ（人の動線）を規制しつつ、他の領域からの人の視線も遮ってワーカーへの過干渉を無くすることが簡単にできるという効果を奏する。
【図面の簡単な説明】
【図１】（ａ）は枠状家具の正面図、（ｂ）は側面図である。
【図２】枠状家具の配置例を示す斜視図である。
【図３】（ａ）は枠ユニットの縦フレームと横フレームとの連結部の断面図、（ｂ）は連結ブロックの斜視図である。
【図４】縦フレームの連結構造を示す分離斜視図である。
【図５】縦フレームと横フレームとの連結状態を示す拡大断面図である。
【図６】（ａ）は縦フレームの下部の連結状態を示す側断面図、（ｂ）は下部連結ブロックの斜視図である。
【図７】コーナー支柱に対する連結部を示す断面図である。
【図８】はアジャスタ体の斜視図である。
【図９】は安定板の斜視図である。
【図１０】パネル装置の裏面図である。
【図１１】（ａ）は図１０のXIa −XIa 線矢視で示す縦枠体とパネル板との分離断面図、（ｂ）は図１０のXIb −XIb 線矢視図、（ｃ）は縦枠体の裏面要部拡大図である。
【図１２】（ａ）は横フレームに対するパネル装置の取付けを示す断面図、（ｂ）は縦枠体の一部切欠き側面図である。
【図１３】パネル装置の第２実施形態の正面図である。
【図１４】（ａ）は図１３のXIIIa −XIIIa 線矢視で示す拡大断面図、（ｂ）は図１３のXIIIb −XIIIb 線矢視図、（ｃ）は上横枠と縦枠との連結部を示す一部切欠き要部拡大図である。
【図１５】パネル装置の第２実施形態の装着状態を示す要部断面図である。
【図１６】パネル装置の第３実施形態（スクリーン体）の装着状態を示す要部断面図である。
【図１７】（ａ）は装飾体を枠空間に装着した形態の正面図、（ｂ）は枠状家具の変形例を示す正面図である。
【図１８】装飾体の連結部を示すXVIII −XVIII 線矢視拡大断面図である。
【図１９】アッパーパネルの取付け状態を示す正面図である。
【図２０】図１９のXX−XX線矢視拡大断面図である。
【符号の簡単な説明】
４  縦フレーム
５  横フレーム
６  枠空間
１０  パネル装置
１２  インナー係合溝
３１  センター係合溝
３６  パネル板
３６ａ  平板部
３７  縦枠体
３８  リブ部
４４  係合爪
４６    嵌合部としての係合突起
【図１】
0003879826.tif 000002
【図２】
0003879826.tif 000003
【図３】
0003879826.tif 000004
【図４】
0003879826.tif 000005
【図５】
0003879826.tif 000006
【図６】
0003879826.tif 000007
【図７】
0003879826.tif 000008
【図８】
0003879826.tif 000009
【図９】
0003879826.tif 000010
【図１０】
0003879826.tif 000011
【図１１】
0003879826.tif 000012
【図１２】
0003879826.tif 000013
【図１３】
0003879826.tif 000014
【図１４】
0003879826.tif 000015
【図１５】
0003879826.tif 000016
【図１６】
0003879826.tif 000017
【図１７】
0003879826.tif 000018
【図１８】
0003879826.tif 000019
【図１９】
0003879826.tif 000020
【図２０】
0003879826.tif 000021